(57)【特許請求の範囲】
【請求項１】
液透過性の表面シート、液不透過性の防漏シート、及び液保持性の吸収体を備え、実質的に縦長である吸収性本体と、該吸収性本体の長手方向左右両側に設けられた、一対の立体ガードとを具備する吸収性物品において、
前記立体ガードは、所定の方向にそれぞれ配された第１の立体ガード弾性部材及び第２の立体ガード弾性部材が設けられて形成されており、
前記第２の立体ガード弾性部材は、前記第１の立体ガード弾性部材よりも前記立体ガードの基端側に配され、且つ前記吸収性本体の長手方向両端部側において該第１の立体ガード弾性部材とから、角度が鋭角のＶ字を形成するように配され、
前記第２の立体ガード弾性部材は、吸収性物品を横に見たときにＭ字状となるように配されており、各第２の立体ガード弾性部材の長手方向両端部は、それぞれ、前記吸収体の左右両側縁よりも外方に延設されたサイドフラップ部に配されており、吸収性物品の長手方向外方側に設けられている第２の立体ガード弾性部材の中央部は、該サイドフラップ部に配されており、
前記Ｖ字の尖端は、吸収性物品の長手方向外方を向いている吸収性物品。
【請求項２】
前記Ｖ字の角度は、５〜８０°である請求項１記載の吸収性物品。
【発明の詳細な説明】
【０００１】
【発明の属する技術分野】
本発明は、漏れ防止性に優れ、着用時にムレない使い捨ておむつ等の吸収性物品に関する。
【０００２】
【従来の技術及び発明が解決しようとする課題】
使い捨ておむつ等の吸収性物品においては、漏れを効果的に防止することが重要な課題であるため、吸収体の左右両側に立体ガードを形成したものが種々提案されている。
かかる立体ガードは、その自由縁端が上方に向けて起立することにより、着用者にフィットすると共に立体ガードと表面シートとの間でポケットを形成し、該ポケットに排泄物を一時ストックすることにより、表面シートの表面を排泄物が流れて漏れが生じることを防止するものである。
しかし、従来の吸収性物品における立体ガードは、その起立性が十分に発揮されない場合があり、フィット性が十分でないと共に、漏れを防止するのに十分な大きさのポケットも形成されない場合があった。
【０００３】
従って、本発明の目的は、立体ガードの起立性に優れ、フィット性及び漏れ防止性に優れた、使い捨ておむつ等の吸収性物品を提供することにある。
【０００４】
【課題を解決するための手段】
本発明は、液透過性の表面シート、液不透過性の防漏シート、及び液保持性の吸収体を備え、実質的に縦長である吸収性本体と、該吸収性本体の長手方向左右両側に設けられた、一対の立体ガードとを具備する吸収性物品において、前記立体ガードは、所定の方向にそれぞれ配された第１の立体ガード弾性部材及び第２の立体ガード弾性部材が設けられて形成されており、前記第２の立体ガード弾性部材は、前記第１の立体ガード弾性部材よりも前記立体ガードの基端側に配され、且つ前記吸収性本体の長手方向両端部側において該第１の立体ガード弾性部材とから、角度が鋭角のＶ字を形成するように配され、前記第２の立体ガード弾性部材は、吸収性物品を横に見たときにＭ字状となるように配されており、各第２の立体ガード弾性部材の長手方向両端部は、それぞれ、前記吸収体の左右両側縁よりも外方に延設されたサイドフラップ部に配されており、吸収性物品の長手方向外方側に設けられている第２の立体ガード弾性部材の中央部は、該サイドフラップ部に配されており、前記Ｖ字の尖端は、吸収性物品の長手方向外方を向いている吸収性物品を提供することにより、上記目的を達成したものである。
【０００５】
【発明の実施の形態】
以下、本発明の吸収性物品の好ましい一実施形態について説明する。本発明の一実施形態の説明に先立ち、まず、本発明の参考実施形態について説明する。参考実施形態は、本発明に比して、主として、第２の立体ガード弾性部材の配設形状が異なり、それに起因して、第１の立体ガード弾性部材と第２の立体ガード弾性部材とから形成される「Ｖ字」の尖端の向きが異なるものである。参考実施形態を説明した後に、本発明の一実施形態について、参考実施形態とは異なる点を中心に説明する。
参考実施形態の吸収性物品としての使い捨ておむつ１は、図１及び図２に示すように、液透過性の表面シート２、液不透過性の防漏シート３、及び液保持性の吸収体４を備え、実質的に縦長である吸収性本体１０と、該吸収性本体１０の長手方向左右両側に設けられた、一対の立体ガード６とを具備する。
【０００６】
参考実施形態の使い捨ておむつ１においては、吸収性本体１０における着用者の脚回りに当接するレッグ部７にレッグギャザーが形成されないように、吸収性本体１０のレッグ部７を形成する表面シート２及び防漏シート３に弾性伸縮性が付与されていない。即ち、弾性部材等は配されていない。
立体ガード６、６は、立体ガード形成用の帯状のシート材６１を、吸収体４の左右両側縁から外方に延出されるように配して、形成されている。自由縁端６３は、使い捨ておむつ１の長手方向と平行になされている。シート材６１は、吸収体４の側部上方で表面シート２に固定されており、この固着された部分により、基端６０が形成されている。シート材６１は、その長手方向端縁６１ａが、それぞれウエスト開口部８側で表面シート２及び後述するサイドフラップ形成材５に固着されている。
【０００７】
防漏シート３の表面には、吸収体４の左右両側縁よりも使い捨ておむつの幅方向外方に両側部が延出されるようにサイドフラップ形成材５が配されている。そして、吸収体４の左右両側縁から幅方向外方においては、シート材６１とサイドフラップ形成材５とが積層されて、着用時に着用者の脚回りに当接する左右一対のサイドフラップ部７が形成されている。このように、サイドフラップ部７をサイドフラップ形成材５とシート材６１とから形成することにより、通気性に優れ、ムレない使い捨ておむつとすることができる。
また、サイドフラップ形成材５は、長手方向中央がくびれた砂時計状であり、シート材６１のサイドフラップ部７の縁部に位置する側縁の形状は、サイドフラップ形成材５と同形状となされている。
【０００８】
而して、参考実施形態の使い捨ておむつ１において、立体ガード６は、所定の方向にそれぞれ配された第１の立体ガード弾性部材６４及び第２の立体ガード弾性部材６５が設けられて形成されており、第２の立体ガード弾性部材６５は、第１の立体ガード弾性部材６４よりも立体ガード６の基端６０側に配され、且つ吸収性本体１０の長手方向両端部側において第１の立体ガード弾性部材６４とからＶ字６６を形成するように配されている。Ｖ字６６の角度は鋭角である。
ここで、「長手方向両端部側」とは、おむつの背側部及び腹側部に位置する部位を意味し、具体的には、使い捨ておむつの長手方向端部８Ａ（８Ｂ）から使い捨ておむつの長手方向全長Ｄの１０％〜４０％の部位を意味する。
また、「Ｖ字」とは、第１の立体ガード弾性部材及び第２の立体ガード弾性部材の一部分により形成される略Ｖ字状の形状を意味する。
また、図１及び図２中において、Ｖ字６６は、説明の便宜上実線で示して記載しているが、実際には、使い捨ておむつ上に現れないものである。
【０００９】
更に詳述すると、Ｖ字６６の角度θは、５〜８０°であるのが好ましい。Ｖ字６６の角度θを５°以上とすることにより、立体ガード６の起立性が向上し、Ｖ字６６の角度θを８０°以下とすることにより、立体ガードの漏れ防止の効果を損なわずに所望の効果が得られる。なお、参考実施形態のように、第２の立体ガード弾性部材６５が複数本配されている場合には、Ｖ字の角度θは、内方側に配された第２の立体ガード弾性部材６５と第１の立体ガード弾性部材６４とから形成されるＶ字の角度である。
【００１０】
第１の立体ガード弾性部材６４は、立体ガード６の自由縁端６３において、自由縁端６３に沿って、シート材６１に接着剤を介して接着されて設けられている。
また、第２の立体ガード弾性部材６５は、２本設けられており、それぞれ、半楕円形状に設けられている。そして、これらの長手方向両端部６５ａが、吸収体４の左右両側縁よりも外方に延設されたサイドフラップ部７に延設されていると共に、第２の立体ガード弾性部材６５の中央部６５ｂにおいては、第１及び第２の立体ガード弾性部材６４，６５がほぼ並行になるように配されている。第２の立体ガード弾性部材６５は、立体ガード６上においてシート材６１により固定されているが、サイドフラップ部７においては、シート材６１とサイドフラップ形成材５とにより挟持固定されている。
第１及び２の立体ガード弾性部材６４、６５が、このように配されていることにより、両者により形成されるＶ字６６の尖端６６ａは、使い捨ておむつの長手方向内方を向いている。
【００１１】
サイドフラップ部７における立体ガード弾性部材６４の長さＬ1（図２参照）は、使い捨ておむつの長手方向に直交する幅方向の全幅Ｗ（ファスニングテープ部分を除くおむつの幅方向の長さにおける最大部の長さ）の５％〜３０％の長さとするのが、背側部及び腹側部及び股部のフィット性の点から好ましい。
また、中央部６５ｂの長さＬ2は、使い捨ておむつの長手方向全長Ｄの１０％〜７０％の長さとするのが、立体ガードの漏れ防止の効果の点から好ましい。
中央部の端部６５ｂ’は、使い捨ておむつの長手方向端部８Ａ（８Ｂ）から使い捨ておむつの長手方向全長Ｄの１５％〜４５％の部位に位置するのが好ましい。
【００１２】
また、参考実施形態では、第１の立体ガード弾性部材６４は、立体ガードの自由縁端６３に沿って配され、第２の立体ガード弾性部材６５は、２本設けられたものを例示して説明したが、これに限定されず、第１の立体ガード弾性部材は自由縁端部の近傍に複数本配されていてもよく、第２の立体ガード弾性部材６５も複数本配されていても良い。弾性部材６４と６５との合計本数は、２〜２０本とするのが好ましい。この場合の各弾性部材の間隔は中央部６５ｂ付近で０．２〜５ｃｍとするのが好ましい。また、各弾性部材間は等間隔でなくてもよい。
【００１３】
次に、参考実施形態の使い捨ておむつを構成する各部材の形成材料について説明する。
前記表面シート２、前記防漏シート３、前記吸収体４及び前記ファスニングテープ１１の形成材料としては、通常、使い捨ておむつに用いられるものを特に制限なく用いることができる。
【００１４】
前記シート材６１及び前記サイドフラップ形成材５は、通気性のシートであるのが好ましく、その透気度は５００ｓｅｃ／１００ｃｃ以下であるのが好ましく、１００ｓｅｃ／１００ｃｃ以下であるのがより好ましく、２０ｓｅｃ／１００ｃｃ以下であるのが更に好ましい。透気度を５００ｓｅｃ／１００ｃｃ以下とすることにより、通気効果が良好で、着用時におむつ内部が蒸れることがなく、カブレ等の装着者の肌へ悪影響を及ぼすことが少なくなる。
また、前記シート材６１及び前記サイドフラップ形成材５の耐水圧（撥水度）は３．０ｇ／ｃｍ2以上が好ましく、５．０ｇ／ｃｍ2以上が更に好ましい。耐水圧を３．０ｇ／ｃｍ2以上とすることにより、排泄物の滲み出しが少なく、漏れ防止効果が高くなる。
また、前記シート材６１及びサイドフラップ形成材５のＣＤ方向の強度（破断強度）は、１０００ｃＮ／５０ｍｍ以上であるのが好ましく、１２００ｃＮ／５０ｍｍ以上であるのが更に好ましい。強度を１０００ｃＮ／５０ｍｍ以上とすることにより、装着時にシート材に力がかかる部位もしくはその周辺で材破し、おむつのフィット性を低下させることが少なくなる。
このような条件を満足するシート材６１及びサイドフラップ形成材５の形成材料としては、スパンボンド、サーマルボンド、スパンボンド−メルトブローン不織布（ＳＭ）、スパンボンド−メルトブローン−スパンボンド不織布（ＳＭＳ）、スパンボンド−メルトブローン−メルトブローン−スパンボンド不織布（ＳＭＭＳ）、ヒートロール、エアースルー、メルトブローン、スパンレース不織布等が挙げられる。
【００１５】
また、前記シート材６１及びサイドフラップ形成材５は伸縮性を有していてもよく、その場合の形成材料としては、液透過性又は液不透過性の弾性シート、弾性ネット、複合化された弾性パネル材等が挙げられるが、装着感の観点から、各種不織布（弾性及び非弾性のものを含む）、又は各種不織布（弾性及び非弾性のものを含む）を弾性を有する材（熱可塑性エラストマーフィルム及びネット）と複合化した弾性パネル材を用いるのが好ましい。
また、前記シート材６１及びサイドフラップ形成材５に伸縮性の材を用いた場合、伸縮の方向については特に制限はないが、おむつの長手方向に対して垂直方向に伸縮性を有するもの、平行方向に伸縮性を有するもの、また、両方向に伸縮性を有するものが好ましい。
【００１６】
なお、透気度及び耐水圧は、下記のようにして測定される。
〔透気度〕
ＪＩＳ−Ｐ８１１７に準じて測定した。即ち、シートを７０×７０ｍｍの大きさに裁断し、透気度測定器（王研式透気度測定器）を用いて１００ｍｌの空気が透過するのに要する時間を測定した。
〔耐水圧〕
ＪＩＳ−Ｌ１０９２に準じて測定した。
破断強度；原反の流れ方向（ＭＤ）に巾２５ｍｍ、流れ方向と直交する方向（ＣＤ）に長さ１５０ｍｍの試験片を切り出した。この試験片について、テンシロン引張試験機〔（株）オリエンテック社製〕を用い、チャック間５０ｍｍ、ＣＤ方向の引張速度３００ｍｍ／ｍｉｎで引張試験を行い、破断時の強度を測定した。
【００１７】
また、前記防漏シート３は、通常、使い捨ておむつに用いられるものを特に制限なく用いることができるが、伸縮性を有していても良い。そのような条件を満足する液不透過性フィルムシート及び不織布の形成材料としては、従来使用されている炭酸カルシウム等の無機物質を含有したポリオレフィン系（ポリエチレン、ポリプロピレン等）やポリエステル系等の高分子樹脂シートに熱処理、エンボス処理、開口処理又はスリット処理等の２次加工を施して得られるシート；ポリオレフィン系（ポリエチレン、メタロセン系ポリエチレンなど）、ポリウレタン系、ポリエステル系、ポリエーテル系、ポリスチレン系、スチレン−ブタジエン−スチレン共重合体（ＳＢＳ）、スチレン−イソプレン−スチレン共重合体（ＳＩＳ）、スチレン−エチレン−ブチレン−スチレン共重合体（ＳＥＢＳ）、スチレン−エチレン−プロピレン−スチレン共重合体（ＳＥＰＳ）等の熱可塑性エラストマーシート、熱可塑性エラストマー及び弾性材を用いたスパンボンド、サーマルボンド、ＳＭ、ＳＭＳ、ＳＭＭＳ、ヒートロール、エアースルー、メルトブローン、スパンレース不織布等が挙げられる。
また、これらの形成材料の中でも、透湿度が０．５ｇ／〔１００ｃｍ2・ｈｒ〕以上のものが好ましく、さらに、耐水圧が５．０ｇ／ｃｍ2以上のものが好ましく、５０ｇ／ｃｍ2以上のものがより好ましい。なお、透湿度は、ＪＩＳ−Ｚ０２０８に準じて測定した。
【００１８】
前記立体ガード弾性部材６４及び弾性部材６５は、従来公知の弾性部材を制限なく用いることができるが、立体ガード弾性部材６４，６５の応力は、１０ｇｆ〜１０００ｇｆとするのが好ましい。ここで応力は、下記する測定方法により測定できる。
〔弾性部材の応力の測定方法〕
弾性部材を長さ１５０ｍｍに切り出し、テンシロン引張り試験機〔（株）オリエンテック社製〕を用い、チャック間１００ｍｍ、引張り速度３００ｍｍ／ｍｉｎで引張試験を行い、１００％伸張時の応力を測定した。
尚、第１の立体ガード弾性部材６４と第２の立体ガード弾性部材６５との応力を異ならせる場合には、異なる材料を用いても良いし、同じ材料で伸張率等を変更しても良い。
【００１９】
参考実施形態の使い捨ておむつは、通常の展開型の使い捨ておむつと同様に使用することができる。
そして、参考実施形態の使い捨ておむつにおいては、第１及び２の立体ガード弾性部材６４，６５が、上述の如く設けられているので、立体ガード６の起立性が良く、一対の立体ガード６間が適度に広げられ、着用者の排尿部に確実に吸収面を沿わせることができ、排泄物を直ぐに吸収させて排泄物が使い捨ておむつ内で流動するのを防ぐことができる。このため、漏れ防止性に優れたものである。
【００２０】
参考実施形態の使い捨ておむつは、吸収体４を防漏シート３と表面シート２とで覆った後、所定形状に第１及び第２立体ガード弾性部材６４，６５を配しつつ、サイドフラップ形成材５とシート材６１を配する等して得られる。
【００２１】
次いで、本発明の一実施形態について説明する。
なお、以下の説明においては、上述した参考実施形態と異なる点を特に説明する。特に説明しない点については、上述した参考実施形態においてした説明が適宜適用される。
図３に示すように、本発明の一実施形態の使い捨ておむつ１は、Ｖ字６６の尖端６６ａが、使い捨ておむつの長手方向外方を向いている。
更に詳述すると、第２の立体ガード弾性部材６５、６５’は、左右両側に２本づつ配されており、それぞれ、使い捨ておむつを横に見たときにＭ字状となるように配されている。そして、各第２の立体ガード弾性部材６５、６５’の長手方向両端部６５ａ，６５ａ’は、それぞれサイドフラップ部７に配されている。更に、使い捨ておむつの長手方向外方側に設けられている第２の立体ガード弾性部材６５’の中央部６５ｂ’は、サイドフラップ部７に配されている。
【００２２】
尚、上述の実施形態の説明においては、展開型の使い捨ておむつを例示して説明したが、本発明は、これに制限されず、パンツ型の使い捨ておむつや、更には失禁パットや生理用ナプキン等に適用できる。パンツ型の使い捨ておむつとする場合には、上述の「実質的に縦長」は、パンツ型の使い捨ておむつの接合部分を剥離して展開状態とした場合に縦長となることを意味する。
また、上述の実施形態においては、サイドフラップ部７にレッグギャザーが形成されていないものを例示して説明したが、本発明はこれに制限されず、サイドフラップ部７に別途弾性部材を配して一対のレッグギャザーを有する形態としても良い。
また、立体ガード６の基端６０が吸収体４上にあるものを例示しているが、基端６０は、サイドフラップ部７上に位置するようにしても良い。
また、立体ガード弾性部材６４は、その一部が、サイドフラップ部７に位置するように設けられていても良い。
【００２３】
ウエスト部に立体ガードを設けて、排泄部に当接する部位の周囲を立体ガードで囲んで、更に漏れ防止性を向上させても良い。そして、ウエスト部に設ける立体ガードは、上述の実施形態のように立体ガード弾性部材６４を配して形成しても良い。
立体ガード弾性部材における端部は、長手方向中央部に向かうに従って、自由縁端側に向かう部分と、基端側に向かう部分とを交互に設けてもよい。
また、吸収体を使い捨ておむつの長手方向及び／又は幅方向に分割したり、切れ目を入れても良い。具体的には、吸収体を細長い長方形状の吸収体を３つ並列に並べて形成したり、両側方及び両端部側に、それぞれ切れ込みを入れて、開口部の形成状態を安定化させてズレ落ちを防止してもよい。
【００２４】
また、立体ガードの中間部の一部が吸収体の側部上方もしくはサイドフラップ部に接合されていてもよい。
また、立体ガードの基端部から自由縁端の間の一部に液不透過性フィルムをラミネートしても良い。この場合には、立体ガードからの排泄物の滲み出しをより効果的に防ぐことができ、漏れ防止効果が向上する。
また、吸収体を構成する材として撥水性の台紙、不織布及び液不透過性フィルムを用いて、吸収体の下部及び側部を覆う構成としても良い。この場合、装着者の体圧で一度吸収した排泄物が吸収体から滲み出すことを防ぐのに有効である。
また、着用者の背側に位置する背側部に、吸収性物品の幅方向に沿って複数の背側弾性部材を配して形成された背側伸縮部が設けられていてもよい。この場合、おむつの背側におけるフィット性をより一層向上させることができる。
【００２５】
【発明の効果】
本発明の吸収性物品は、立体ガードの起立性に優れ、フィット性及び漏れ防止性に優れたものである。
【図面の簡単な説明】
【図１】  図１は、本発明の参考実施形態としての使い捨ておむつの自由状態における表面シート側を示す斜視図である。
【図２】  図２は、図１に示す使い捨ておむつの伸長状態を表面シート側から見た平面図である。
【図３】  図３は、本発明の一実施形態の使い捨ておむつの伸張状態を表面シート側から見た平面図（図２相当図）である。
【符号の説明】
１  使い捨ておむつ（吸収性物品）
１０  吸収性本体
１１  ファスニングテープ
２  表面シート
３  防漏シート
４  吸収体
６  立体ガード
６０  基端
６１  シート材
６３  自由縁端
６４  第１の立体ギャザー弾性部材
６５  第２の立体ギャザー弾性部材
６６  Ｖ字
７  レッグ部
８  ウエスト開口部
Ａ  腹側部
Ｂ  背側部
【図１】
0004043152.tif 000002
【図２】
0004043152.tif 000003
【図３】
0004043152.tif 000004